(57)【特許請求の範囲】
【請求項１】
部分的に中空なホルダー部（２）と、
歯ブラシ部（６）と、
髭そり頭部（７）用の取り付け手段（５）と、を有する個人用複合衛生物品であって、
前記歯ブラシ部（６）は、前記歯ブラシ部（６）がホルダー部（２）に軸回転可能に取り付けられるように蝶番手段（１３，１４）を備える、第１の終端を有し、
前記歯ブラシ部（６）は、歯ブラシ頭部（２３）を備える第２の終端を有する個人用複合衛生物品において、
前記部分的に中空なホルダー部（２）に、壁（２２）を備え、
前記壁（２２）は第１の部屋（２０）と第２の部屋（２１）との間の物理的隔離を構成し、
前記歯ブラシ頭部（２３）を備える前記歯ブラシ部（６）の前記第２の終端が、前記第１の部屋（２０）に折り込まれ、
前記髭そり頭部（７）用の前記取り付け手段（５）が第２の蓋（４）の上に前記ホルダー部（２）の第２の終端に枢動可能に配置され、前記第２の蓋（４）は、
前記ホルダー部（２）の延長線上に適合するように配置され、前記ホルダー部（２）の形状に沿うような外形を有し、前記第２の蓋が中空な場所で２つの部屋（１６，１７）に分割され、
ここにおいて１つの部屋（１６）が前記髭そり頭部（７）の収容のために配置され、髭そり刃を保持する前記髭そり頭部（７）の各部位が前記１つの部屋（１６）の表面に接触しないように、前記１つの部屋（１６）の形状が前記髭そり頭部（７）の形状に対し適合されている、
ことを特徴とする物品。
【請求項２】
細長い第１の蓋（３）が前記ホルダー部（２）の第１の終端に軸回転可能に取り付けられているため、前記歯ブラシ部（６）が折り込まれる時、及び前記歯ブラシ部（６）が伸長されている時の両方において、前記第１の蓋（３）が前記ホルダー部（２）の上を閉じるように配置され、ここにおいて前記ホルダー部（２）は、前記第１の蓋（３）の外部スカートに適合する内部スカートを有する、ことを特徴とする請求項１に記載の物品。
【請求項３】
前記第２の部屋（２１）への空気スリット（３５）が前記ホルダー部（２）に配置され、ここにおいて前記空気スリット（３５）は前記壁（２２）に近く設けられる、ことを特徴とする請求項１または２に記載の物品。
【請求項４】
少なくとも１つの吹き込み孔（２４）が前記第１の蓋（３）の終端に設けられる、ことを特徴とする請求項２または３に記載の物品。
【請求項５】
前記吹き込み孔（２４）が前記第１の蓋（３）の終端より高い位置にある１つの終端面にあり、複数の排水用溝（３４ａ，３４ｂ）が前記終端面の両側に設けられる、ことを特徴とする請求項４に記載の物品。
【請求項６】
少なくとも２個の吹き込み孔（３６）が、前記第２の蓋（４）に近い前記ホルダー部（２）の終端において、前記ホルダー部（２）のそれぞれの側面に設けられる、ことを特徴とする請求項１−５のいずれか１項に記載の物品。
【請求項７】
前記第１の蓋（３）の両面に把持力を改善するための第１の摩擦面（３７ａ）が設けられる、ことを特徴とする請求項２−６のいずれか１項に記載の物品。
【請求項８】
把持力を改善するための複数の第２の摩擦面（３７ｂ）が前記第２の蓋（４）の下方で、前記髭そり頭部（７）用の前記取り付け手段（５）が配置される側と反対側の面に設けられる、ことを特徴とする請求項１−７のいずれか１項に記載の物品。
【請求項９】
把持力を改善するための前記第１および第２の摩擦面（３７ａ，３７ｂ）は２部位構成からなり、ゴム状の表面を有する、ことを特徴とする請求項７または８に記載の物品。
【発明の詳細な説明】
【技術分野】
【０００１】
本発明は、請求項１の前文に記載の個人衛生用複合物品に関するものである。
【背景技術】
【０００２】
歯ブラシ部分と髭そり部分とを有する個人衛生用複合物品は、種々の形態で従来から知られており、例えば特許文献１−４に記載されている。
一般的に、これらの既知の物品は比較的複雑な構造をしており、従って製造コストが高い。この製造コストを大幅に低減したいというニーズがあった。また、部品が紛失するのを防ぐため固定されない部品の数を最小化する解決策に対するニーズもあった。
特許文献５からは折りたたみ可能な歯ブラシが開示され、それは折り畳まれた状態で歯磨き粉が貯蔵庫から供給可能である。この既知の文献は髭そりを固定する可能性を欠き、髭そりを固定する可能性を実現することは自明ではない。
【０００３】
特許文献６は１つの末端には１つの歯ブラシを備え、他の末端には１つの髭そりを備える衛生用品を開示している。歯磨き粉と髭そりスプレーの貯蔵庫はそれぞれ歯ブラシと髭そりに適用されるようになっている。この既知の物品は折り畳み不可能で、デザインからみて折り畳みできる可能性は明確でない。
【０００４】
複数の機能を１つの物品に備える複合衛生用物品の特殊な問題は、異なる使用領域を分離することである。既知の歯ブラシと髭そりの複合では、水と髭そり手段の残存物が歯ブラシ部分と接触してしまう問題があった。この問題は本発明では解決されている。  
【先行技術文献】
【特許文献】
【０００５】
【特許文献１】ノルウェー特許出願１９９９１８５５
【特許文献２】ノルウェー特許出願２００４４３９６
【特許文献３】米国特許５，８３２，９４０
【特許文献４】米国特許６，２０６，６００
【特許文献５】ＷＯ  ２００５／０８７０４７
【特許文献６】米国特許４，７６０，６４２
【発明の概要】
【０００６】
（発明の目的）
本発明の目的は請求項１の特徴部分に記載された特徴を有する物品により達成される。
さらなる特徴は従属する請求項に記載されている。  
【図面の簡単な説明】
【０００７】
本発明は付属の図面を参照して詳細に説明される。
【図１】折り畳まれた状態の本発明の物品の鳥瞰図である。
【図２】歯ブラシ部分の蓋が開いた状態での図１の実施形態を示す図である。
【図３】歯ブラシ部分が伸ばされた状態での図１の実施形態を示す図である。
【図４】歯ブラシ部分が伸ばされ、蓋が閉じた状態での図１の実施形態を示す図である。
【図５】髭そりの蓋が開いた状態での図１の実施形態を示す図である。
【図６】髭そりの蓋が閉じ、髭そりが固定された状態での図１の実施形態を示す図である。
【図７】髭そりと歯ブラシの両方の蓋が開いた状態の実施形態を示す断面図である。
【図８】髭そりと歯ブラシの両方の蓋がホルダーから外された状態の実施形態を示す断面図である。
【図９】髭そり頭部を有する第２の蓋の断面図である。
【図１０】図１０ａ，１０ｂは充填具の実施形態を示す鳥瞰図である。
【発明を実施するための形態】
【０００８】
図１は本発明に基づく１つの複合衛生用物品１の実施形態を示す。この物品１は１つのホルダー部２、１つの第１の蓋３、及び１つの第２の蓋４からなる。第２の蓋４の上に髭そりヘッド用の取り付け手段５がある。
図２では第１の蓋３は開かれている。この第１の蓋３は長い形状をしており、好適には実質的にＵ字形曲面の断面を有する。また第１の蓋３はその端部でホルダー部２に軸回転可能に以下で記載されるように取り付けられている。
【０００９】
第１の蓋３が閉じられている場合、蓋３はホルダー部２に適合するような形状を与えられ、両者は実質的に連続した表面を形成している。ホルダー部２は蓋３の外部スカートに適合する内部スカートを有する。
歯ブラシ部６は、第１の蓋３が閉じている時はホルダー部２に隠れている（基本位置）。歯ブラシ部６は１つの端部において軸回転可能にホルダー部２に取り付けられている。その取り付け場所は、第１の蓋３が軸回転可能に取り付けられている端部と反対側にあるホルダー部の端部に近い。歯ブラシ部６は、完全に折り畳まれた位置から完全に開いた位置まで、軸を中心に１４５°回転可能である。
【００１０】
一度歯ブラシ部６が完全に開かれると第１の蓋３は、ホルダー部２と第１の蓋３が使用者にとって良好なグリップを提供するように、所定の位置まで傾けられる。この状態を図４に示す。
図５は開いた位置の第２の蓋４を示す。第２の蓋４の空洞の中には標準タイプの１つの髭そり頭部７が配置されている。異なるメーカーの髭そり頭部を使用することができる。取り付け手段５は１つの所定のメーカーの髭そり頭部７に適合するように設定されているが、それが調整可能であることは、本発明の範囲である。
【００１１】
髭そり頭部７が第２の蓋４から取り出されると、第２の蓋４は閉じられ、髭そり頭部７は取り付け手段５の上に置かれる。これを図６に示す。髭そりは使用可能であり、ホルダー部２は良好なグリップを提供する。
図７において、１つの第１のピン８がホルダー部２に配置されている。第１の蓋３の上には、部分的に開いた円形断面を有する１つの第１のソケット９が備えられている。第１のソケット９の内径はピン８の直径と実質的に同じ寸法である。ソケット９の１つのスリット１０はピン８の直径よりも幾分小さい開口部を有する。
【００１２】
第１の蓋３をホルダー部２に取り付ける場合、スリット１０はピン８に対して押しつけられ、ピン８をクリック操作により包み込む。従って、第１の蓋３はホルダー部２から所望によりあるいは意図せず切り離されてもよい。いずれの場合も第１の蓋３とホルダー部２は再度容易に合体され、前のように配置されうる。このことは図８に示される。
望ましい実施形態では、第１の蓋３は、開いたときに、ホルダー部２に対して１３０°から１６０°、好適には１４４°の角度となるように調整される。この開いた時の角度は、歯ブラシ部６を使用位置まで伸ばすのに十分な角度であると同時に、第１の蓋３が意図せずにピンから外れて壊れないことを確実にするのに十分に大きな角度である。
【００１３】
第２の蓋４はホルダー部２に第１の蓋３と同様に取り付けられる。即ち、第２のソケット１２に適合する第２のピン１１が配置される。第２のソケット１２は第２のピン１１の直径よりやや小さい寸法の１つのスリット１３を有する。
特に図８に示すように、歯ブラシ部６も開口部１５を有するソケット１４を備え、そして第２のピン１１に取り付けられる。歯ブラシ部６のソケット１４は２つの部分からなり、第２の蓋４のソケット１２はその２つの部分の間をスライドする。
【００１４】
図３，７及び８で示される通り、ホルダー部２の孔は１つの壁２２で少なくとも２つの部屋２０、２１に分割される。第１の部屋２０は歯ブラシ部６の歯ブラシ頭部２３を包むように意図されている。複合物品１が閉じられて使用されない場合は、歯ブラシ頭部２３は隔離された部屋２０に収納される。この第１の部屋２０は、好適には歯ブラシ頭部２３がバクテリアの繁殖なく乾燥するように、複数の空気／排水孔を有する。これらの孔は好適には周囲に向かって開いており、他の部屋２１には開いていない。図示された事例では、第１の蓋３の端部には多数の吹き込み孔２４が設けられている。吹き込み孔２４の列の下にはさらに１つの孔３３が設けられている。孔３３と直近の吹き込み孔２４との間に１つの薄い紐を取り付け、個人用複合衛生用物品１が首のまわりに吊るされるようにしてもよい。
【００１５】
吹き込み孔２４の列は第１の蓋３の終端よりも多少高い終端面上にある。終端面の両側には排水溝３４ａ，３４ｂが配置される。これらの溝は物品が立てられている時、吹き込み孔２４から流出する液体を排出する機能を果たす。
他の部屋２１は、例えば、歯磨き粉の１つのチューブを収納し、或いは複合物品１に帰属する小さな付属品を収納してもよい。
第１の部屋２０と第２の部屋２１との間には、小さな壁２２がある。この壁２２は複合的な機能をもつ。それは、例えば髭そり用の水などの歯ブラシ頭部２３への漏出に対する物理的境界として、またそれ以外に、反対側の充填具２５に対する支持具／ホルダーとして、機能する。この充填具は、以下で詳述されるノルウェー特許出願２００６１０６２に記載されるようなタイプの充填具でもよい。
【００１６】
ホルダー部２には第２の部屋２１への空気スリット３５が設けられている。空気スリット３５は壁２２の近くに設けられ、部屋２１の換気と排水に関する機能を果たす。更に、ホルダー部２の第２の蓋４に近い終端の両側には、更に、吹き込み孔３６が設けられている。
好ましい実施形態では、第２の蓋４は図９に示すように１つの部屋仕切りを備える。第２の蓋４は主に２つの部屋１６と１７に分かれている。部屋１６は髭そり頭部７の収納場所として使用される。部屋１６と１７は、部屋１６の形状が髭そり頭部７の形状に適合するように１つの壁１８により分離される。好適には、部屋１６の内部に向かって更に１つの拡張部分１９を有する。部屋１６が形作られる上記方法により、髭そり刃を有する髭そり頭部７は、部屋１６のどの表面とも接触しない。このように、髭そり頭部７は部屋１６に保管されている間乾燥する。
【００１７】
充填具２５は、図１０ａ，１０ｂに示すように、第１のパイプ部２６と、第２のパイプ部２７とからなる。パイプ部２６，２７はそれぞれ内部ネジ山２８、２９を有する。第１のパイプ部２６は、例えば標準的な歯磨き粉のチューブに適合するネジ山２８を有し、第２のパイプ部２７は、より小さく第２の部屋２１に収納できる１つのチューブに適合するネジ山２９を有する。充填具２５はこのように、標準寸法のチューブから、複合物品に収納される小さなチューブに充填するために使用される。
第１の部屋２０と第２の部屋２１との間の壁２２は、充填具２５の形状に適合した形状を有する。図示された実施形態では、壁２２は第２の部屋２１から見て、第２のパイプ部２７の終端において、充填具２５の外部形状と一致する内部形状を有する窪み３０を有する。充填具２５は壁２２での締め付けから容易に引き出され、使用されない間はそこに保管される。図１０ａ，１０ｂはまた充填具２５を適正な場所に維持するための複数のノブ３１を示す。
【００１８】
歯ブラシ頭部２３は好適には取り換え可能で、例えば既知の戻り止めを備えてもよい。好適には１つのノブ３２が充填具２５の上部に配置される。このノブは交換可能な歯ブラシ頭部２３の先端を外すのに使用される。
好適には第１の蓋３および第２の蓋４にそれぞれ摩擦面３７ａ，３７ｂが設けられる。これらは、とりわけ個人用複合衛生物品のグリップの改善のため、２部位構成で、ゴム状の表面である。
【符号の説明】
【００１９】
１  複合衛生用物品    ２  ホルダー部      ３  第１の蓋  
４  第２の蓋          ５  取り付け手段    ６  歯ブラシ部        
７  髭そり頭部      ２０  第１の部屋    ２１  第２の部屋    
２２  壁              ２５  充填具
【図１】
0005384518.tif 000002
【図２】
0005384518.tif 000003
【図３】
0005384518.tif 000004
【図４】
0005384518.tif 000005
【図５】
0005384518.tif 000006
【図６】
0005384518.tif 000007
【図７】
0005384518.tif 000008
【図８】
0005384518.tif 000009
【図９】
0005384518.tif 000010
【図１０】
0005384518.tif 000011